(57)【要約】【課題】常に正常なＯＰＣレンジでＯＰＣを実行して正しい最適記録パワーを決定し、その最適記録パワーによって記録媒体への記録品質を安定させる。【解決手段】コントローラ１０は、ＯＰＣ時、パラメータ記憶部１１に格納された予め装置毎に調整されたＯＰＣレンジ補正パラメータを読み出し、そのＯＰＣレンジ補正パラメータに基づいて試し書きの実行時に順次変化させる記録パワーのＯＰＣレンジ（所定範囲）を補正し、そのＯＰＣレンジ（所定範囲）内で光ビームの記録パワーを順次変化させて光ディスク２０のＰＣＡ領域（所定のテスト記録位置）にデータ（情報）を試し書きし、その試し書きされたデータを再生した再生信号に基づいて光ディスク２０にデータを記録するときの最適記録パワーを決定する。【選択図】　　　図１
2004139658.tif 000002
【特許請求の範囲】
【請求項１】
光源から出射された光ビームを記録媒体に集光して情報を記録する情報記録装置であって、前記光ビームの記録パワーを所定範囲内で順次変化させて前記記録媒体の所定のテスト記録位置に情報を試し書きする試し書き手段と、該試し書き手段によって試し書きされた情報に基づいて前記記録媒体に情報を記録するときの最適記録パワーを決定する最適記録パワー決定手段と、予め装置毎に調整された補正パラメータを格納する補正パラメータ格納手段と、該補正パラメータ格納手段に格納された補正パラメータに基づいて前記試し書き手段による試し書き実行時に順次変化させる記録パワーの所定範囲を補正する記録パワー所定範囲補正手段とを備えたことを特徴とする情報記録装置。
【請求項２】
請求項１記載の情報記録装置において、前記予め装置毎に調整された補正パラメータは、予め装置の製造工程において最適な記録パワーが管理された記録媒体に対して前記試し書き手段による試し書きを実行した結果から求めた補正パラメータであることを特徴とする情報記録装置。
【請求項３】
請求項１記載の情報記録装置において、前記予め装置毎に調整された補正パラメータは、調整用に記録パワーが管理された標準の情報記録装置によって記録パワーが管理された記録媒体に対して試し書きを実行した結果から求めた最適記録パワーと前記記録媒体に試し書きを行った結果得られた最適記録パワーとの両方の値、または前記各最適記録パワーの差から得られる値であることを特徴とする情報記録装置。
【請求項４】
請求項２記載の情報記録装置において、前記試し書き手段による試し書きを記録媒体の任意の位置で実行する手段を設け、該手段によって装置の製造工程において記録媒体の定められた試し書き領域以外の領域も用いて試し書きを実行した結果から補正パラメータを求めるようにしたことを特徴とする情報記録装置。
【請求項５】
請求項１記載の情報記録装置において、前記試し書き手段を複数種類の記録線速度においてそれぞれ前記光ビームの記録パワーを所定範囲内で順次変化させて前記記録媒体の所定のテスト記録位置に情報を試し書きするようにし、前記補正パラメータ格納手段に予め装置毎に調整された補正パラメータを試し書きを実行する複数種類の記録線速度毎に格納するようにし、前記記録パワー所定範囲補正手段を前記補正パラメータ格納手段に格納された補正パラメータに基づいて前記試し書き手段による試し書き実行時に複数種類の記録線速度毎に順次変化させる記録パワーの所定範囲を補正するようにしたことを特徴とする情報記録装置。
【請求項６】
請求項１記載の情報記録装置において、前記試し書き手段を複数種類の記録媒体に対してそれぞれ前記光ビームの記録パワーを所定範囲内で順次変化させて前記記録媒体の所定のテスト記録位置に情報を試し書きするようにし、前記補正パラメータ格納手段に予め装置毎に調整された補正パラメータを試し書きを実行する複数種類の記録媒体毎に格納するようにし、前記記録パワー所定範囲補正手段を前記補正パラメータ格納手段に格納された補正パラメータに基づいて前記試し書き手段による試し書き実行時に複数種類の記録媒体毎に順次変化させる記録パワーの所定範囲を補正するようにしたことを特徴とする情報記録装置。
【請求項７】
請求項１記載の情報記録装置において、前記記録パワーの所定範囲の補正は、前記補正パラメータ格納手段に格納された補正パラメータの値分だけ前記所定範囲の中心記録パワーをシフトさせる補正であることを特徴とする情報記録装置。
【請求項８】
請求項１記載の情報記録装置において、前記記録パワーの所定範囲の補正は、前記補正パラメータ格納手段に格納された補正パラメータに基づいて前記順次変化させる記録パワーの１ステップあたりの大きさを変えることを特徴とする情報記録装置。
【請求項９】
請求項１乃至８のいずれか一項に記載の情報記録装置において、前記試し書き手段によって試し書きを実行する毎に前記補正パラメータ格納手段に格納された補正パラメータを更新する補正パラメータ更新手段を設けたことを特徴とする情報記録装置。
【請求項１０】
請求項９記載の情報記録装置において、前記補正パラメータ更新手段による補正パラメータの更新回数を保存する補正パラメータ更新回数保存手段を設け、前記補正パラメータ更新手段は前記補正パラメータ更新回数保存手段に保存された更新回数が所定回数に達するまでの補正パラメータの平均値を新規の補正パラメータとして前記補正パラメータ格納手段に格納された補正パラメータを更新する手段であることを特徴とする情報記録装置。
【請求項１１】
光源から出射された光ビームを記録媒体に集光して情報を記録する情報記録方法であって、前記光ビームの記録パワーを所定範囲内で順次変化させて前記記録媒体の所定のテスト記録位置に情報を試し書きし、該試し書きされた情報に基づいて前記記録媒体に情報を記録するときの最適記録パワーを決定し、予め装置毎に調整された補正パラメータを格納し、該格納された補正パラメータに基づいて前記試し書きの実行時に順次変化させる記録パワーの所定範囲を補正することを特徴とする情報記録方法。
【請求項１２】
光源から出射された光ビームを記録媒体に集光して情報を記録する情報記録方法であって、前記光ビームの記録パワーを所定範囲内で順次変化させて前記記録媒体の所定のテスト記録位置に情報を試し書きし、該試し書きされた情報に基づいて前記記録媒体に情報を記録するときの最適記録パワーを決定し、予め装置毎に調整された補正パラメータを格納し、該格納された補正パラメータに基づいて前記試し書きの実行時に順次変化させる記録パワーの所定範囲を補正し、前記試し書きを実行する毎に前記補正パラメータを更新することを特徴とする情報記録方法。
【請求項１３】
コンピュータに、光源から出射された光ビームを記録媒体に集光して情報を記録する記録手順と、前記光ビームの記録パワーを所定範囲内で順次変化させて前記記録媒体の所定のテスト記録位置に情報を試し書きする試し書き手順と、該試し書き手順によって試し書きされた情報に基づいて前記記録媒体に情報を記録するときの最適記録パワーを決定する最適記録パワー決定手順と、予め装置毎に調整された補正パラメータを格納する補正パラメータ格納手順と、該補正パラメータ格納手順によって格納された補正パラメータに基づいて前記試し書き手順による試し書き実行時に順次変化させる記録パワーの所定範囲を補正する記録パワー所定範囲補正手順とを実行させるためのプログラム。
【請求項１４】
コンピュータに、光源から出射された光ビームを記録媒体に集光して情報を記録する記録手順と、前記光ビームの記録パワーを所定範囲内で順次変化させて前記記録媒体の所定のテスト記録位置に情報を試し書きする試し書き手順と、該試し書き手順によって試し書きされた情報に基づいて前記記録媒体に情報を記録するときの最適記録パワーを決定する最適記録パワー決定手順と、予め装置毎に調整された補正パラメータを格納する補正パラメータ格納手順と、該補正パラメータ格納手順に格納された補正パラメータに基づいて前記試し書き手順による試し書き実行時に順次変化させる記録パワーの所定範囲を補正する記録パワー所定範囲補正手順と、前記試し書き手順によって試し書きを実行する毎に前記補正パラメータ格納手順によって格納された補正パラメータを更新する補正パラメータ更新手順を実行させるためのプログラム。
【発明の詳細な説明】
【０００１】
【発明の属する技術分野】
この発明は、ＣＤ−Ｒ／ＲＷドライブ，ＤＶＤ−Ｒ／ＲＷドライブ，ＤＶＤ＋Ｒ／ＲＷドライブ，ＤＶＤ−ＲＡＭドライブ，ＤＶＤ＋ＲＡＭドライブ等の記録媒体にデータを記録する情報記録装置とその情報記録方法とプログラムに関する。
【０００２】
【従来の技術】
近年、情報（データ）の記録可能なＣＤ−Ｒディスク，ＣＤ−ＲＷディスク，ＤＶＤ−Ｒディスク，ＤＶＤ−ＲＷディスク，ＤＶＤ＋Ｒディスク，ＤＶＤ＋ＲＷディスク，ＤＶＤ−ＲＡＭディスク，ＤＶＤ＋ＲＡＭディスク等の光ディスク媒体（記録媒体）が用いられている。
そのような光ディスク媒体にデータを記録するＣＤ−Ｒ／ＲＷドライブ，ＤＶＤ−Ｒ／ＲＷドライブ，ＤＶＤ＋Ｒ／ＲＷドライブ，ＤＶＤ−ＲＡＭドライブ，ＤＶＤ＋ＲＡＭドライブ等の情報記録装置は、光ディスク媒体を回転制御し、光源から出射するレーザビーム（光ビーム）の記録パワーを目標値に制御し、光源から出射されたレーザビームを光ディスク媒体に集光して情報を記録する。
【０００３】
その情報記録装置は、個々の装置の性能等のばらつきや記録速度，光ディスク媒体の記録特性等の条件に応じて光ディスク媒体に記録を行うための最適なレーザパワー（最適記録パワー）が異なるので、光ディスク媒体への本情報（本データ）の記録に先立ち、最適記録パワーを決定する処理を行う必要がある。
【０００４】
例えば、ＣＤ−Ｒディスクにデータを記録する場合、光ディスク媒体面内の試し書き領域（Ｐｏｗｅｒ　Ｃａｌｉｂｌａｔｉｏｎ　Ａｒｅａ：ＰＣＡ領域）で記録パワーを順次変えながら情報を試し書きし、その試し書きした情報の書き込み信号のアシンメトリ値（β値）を検出することによって最適記録パワーを決定している。この最適記録パワーの決定処理は、ＣＤ−Ｒディスクにおけるオプティマムパワーコントロール（Ｏｐｔｉｍｕｍ　Ｐｏｗｅｒ　Ｃｏｎｔｒｏｌ：ＯＰＣ）と呼ばれる。またＯＰＣ実行時に順次変化させる記録パワーの所定範囲を「ＯＰＣレンジ（ＯＰＣ　Ｒａｎｇｅ）」と称する。
【０００５】
上述のようなＣＤ−Ｒディスク等の光ディスク媒体への記録特性は、その光ディスク媒体の種類（種別）毎にそれぞれ異なるため、情報の記録に必要な記録パワー（レーザパワー）も異なるので、上述のような情報記録装置では、各光ディスク媒体の種類毎にＯＰＣを実行する際の記録パワーの中心パワー（Ｐｄｅｆ）を個別に保持している場合が多い。
また、従来の情報記録装置では、ＯＰＣによって最適記録パワーを決定した後に、その最適記録パワーを予め記憶している補正データによって補正している（例えば、特許文献１参照）。
【０００６】
【特許文献１】
特開平１１−３２８７０９号公報
【０００７】
【発明が解決しようとする課題】
しかしながら、従来の情報記録装置では、ＯＰＣの際に個々の装置の性能等のばらつきや記録速度，光ディスク媒体の記録特性等の条件等の何らかのばらつき要因により、本来ＯＰＣによって決定されるべき最適記録パワーが含まれているＯＰＣレンジを外れてしまった場合、最適記録パワーが求められずにエラーとなってしまうという問題があった。
また、仮にＯＰＣによって最適記録パワーが求まったとしても、ＯＰＣを実行する際の記録パワーの中心パワー（Ｐｄｅｆ）から大きくずれた個所で決定した場合、真の値との誤差が大きくて真の最適記録パワーにならないという問題があった。
【０００８】
上述したＯＰＣの際のばらつき要因としては、情報記録装置の設定する記録パワーとその記録パワーで実際に出射される光ビーム（レーザ光）の記録パワーとの差異，レーザダイオード（光源）の微妙な発振周波数のばらつき，光ビームのフォーカスサーボのバランスのずれ，光源を搭載した光ピックアップの光ビームの出射レンズ面と光ディスク媒体のディスク面とのずれ（このずれを「チルト」と称する），光ビームの記録パルス波形のばらつき，光ディスク媒体の記録感度特性のばらつき，周辺温度の影響等のいろいろな要因が考えられるが、主要因としては情報記録装置側のばらつきによる影響が大きいことが多い。
【０００９】
この発明は上記の課題を解決するためになされたものであり、常に正常なＯＰＣレンジでＯＰＣを実行して正しい最適記録パワーを決定し、その最適記録パワーによって記録媒体への記録品質を安定させることを目的とする。
【００１０】
【課題を解決するための手段】
この発明は上記の目的を達成するため、次の（１）〜（１０）の各情報記録装置を提供する。
（１）光源から出射された光ビームを記録媒体に集光して情報を記録する情報記録装置であって、上記光ビームの記録パワーを所定範囲内で順次変化させて上記記録媒体の所定のテスト記録位置に情報を試し書きする試し書き手段と、その試し書き手段によって試し書きされた情報に基づいて上記記録媒体に情報を記録するときの最適記録パワーを決定する最適記録パワー決定手段と、予め装置毎に調整された補正パラメータを格納する補正パラメータ格納手段と、その補正パラメータ格納手段に格納された補正パラメータに基づいて上記試し書き手段による試し書き実行時に順次変化させる記録パワーの所定範囲を補正する記録パワー所定範囲補正手段を備えた情報記録装置。
【００１１】
（２）（１）の情報記録装置において、上記予め装置毎に調整された補正パラメータは、予め装置の製造工程において最適な記録パワーが管理された記録媒体に対して上記試し書き手段による試し書きを実行した結果から求めた補正パラメータである情報記録装置。
（３）（１）の情報記録装置において、上記予め装置毎に調整された補正パラメータは、調整用に記録パワーが管理された標準の情報記録装置によって記録パワーが管理された記録媒体に対して試し書きを実行した結果から求めた最適記録パワーと上記記録媒体に試し書きを行った結果得られた最適記録パワーとの両方の値、または上記各最適記録パワーの差から得られる値である情報記録装置。
【００１２】
（４）（２）の情報記録装置において、上記試し書き手段による試し書きを記録媒体の任意の位置で実行する手段を設け、その手段によって装置の製造工程において記録媒体の定められた試し書き領域以外の領域も用いて試し書きを実行した結果から補正パラメータを求めるようにした情報記録装置。
（５）（１）の情報記録装置において、上記試し書き手段を複数種類の記録線速度においてそれぞれ上記光ビームの記録パワーを所定範囲内で順次変化させて上記記録媒体の所定のテスト記録位置に情報を試し書きするようにし、上記補正パラメータ格納手段に予め装置毎に調整された補正パラメータを試し書きを実行する複数種類の記録線速度毎に格納するようにし、上記記録パワー所定範囲補正手段を上記補正パラメータ格納手段に格納された補正パラメータに基づいて上記試し書き手段による試し書き実行時に複数種類の記録線速度毎に順次変化させる記録パワーの所定範囲を補正するようにした情報記録装置。
【００１３】
（６）（１）の情報記録装置において、上記試し書き手段を複数種類の記録媒体に対してそれぞれ上記光ビームの記録パワーを所定範囲内で順次変化させて上記記録媒体の所定のテスト記録位置に情報を試し書きするようにし、上記補正パラメータ格納手段に予め装置毎に調整された補正パラメータを試し書きを実行する複数種類の記録媒体毎に格納するようにし、上記記録パワー所定範囲補正手段を上記補正パラメータ格納手段に格納された補正パラメータに基づいて上記試し書き手段による試し書き実行時に複数種類の記録媒体毎に順次変化させる記録パワーの所定範囲を補正するようにした情報記録装置。
【００１４】
（７）（１）の情報記録装置において、上記記録パワーの所定範囲の補正は、上記補正パラメータ格納手段に格納された補正パラメータの値分だけ上記所定範囲の中心記録パワーをシフトさせる補正である情報記録装置。
（８）（１）の情報記録装置において、上記記録パワーの所定範囲の補正は、上記補正パラメータ格納手段に格納された補正パラメータに基づいて上記順次変化させる記録パワーの１ステップあたりの大きさを変える情報記録装置。
（９）（１）乃至（８）のいずれかの情報記録装置において、上記試し書き手段によって試し書きを実行する毎に上記補正パラメータ格納手段に格納された補正パラメータを更新する補正パラメータ更新手段を設けた情報記録装置。
【００１５】
（１０）（９）の情報記録装置において、上記補正パラメータ更新手段による補正パラメータの更新回数を保存する補正パラメータ更新回数保存手段を設け、上記補正パラメータ更新手段は上記補正パラメータ更新回数保存手段に保存された更新回数が所定回数に達するまでの補正パラメータの平均値を新規の補正パラメータとして上記補正パラメータ格納手段に格納された補正パラメータを更新する手段である情報記録装置。
【００１６】
また、次の（１１）と（１２）の各情報記録方法も提供する。
（１１）光源から出射された光ビームを記録媒体に集光して情報を記録する情報記録方法であって、上記光ビームの記録パワーを所定範囲内で順次変化させて上記記録媒体の所定のテスト記録位置に情報を試し書きし、その試し書きされた情報に基づいて上記記録媒体に情報を記録するときの最適記録パワーを決定し、予め装置毎に調整された補正パラメータを格納し、その格納された補正パラメータに基づいて上記試し書きの実行時に順次変化させる記録パワーの所定範囲を補正する情報記録方法。
【００１７】
（１２）光源から出射された光ビームを記録媒体に集光して情報を記録する情報記録方法であって、上記光ビームの記録パワーを所定範囲内で順次変化させて上記記録媒体の所定のテスト記録位置に情報を試し書きし、その試し書きされた情報に基づいて上記記録媒体に情報を記録するときの最適記録パワーを決定し、予め装置毎に調整された補正パラメータを格納し、その格納された補正パラメータに基づいて上記試し書きの実行時に順次変化させる記録パワーの所定範囲を補正し、上記試し書きを実行する毎に上記補正パラメータを更新する情報記録方法。
【００１８】
また、次の（１３）と（１４）の各プログラムも提供する。
（１３）コンピュータに、光源から出射された光ビームを記録媒体に集光して情報を記録する記録手順と、上記光ビームの記録パワーを所定範囲内で順次変化させて上記記録媒体の所定のテスト記録位置に情報を試し書きする試し書き手順と、その試し書き手順によって試し書きされた情報に基づいて上記記録媒体に情報を記録するときの最適記録パワーを決定する最適記録パワー決定手順と、予め装置毎に調整された補正パラメータを格納する補正パラメータ格納手順と、その補正パラメータ格納手順によって格納された補正パラメータに基づいて上記試し書き手順による試し書き実行時に順次変化させる記録パワーの所定範囲を補正する記録パワー所定範囲補正手順を実行させるためのプログラム。
【００１９】
（１４）コンピュータに、光源から出射された光ビームを記録媒体に集光して情報を記録する記録手順と、上記光ビームの記録パワーを所定範囲内で順次変化させて上記記録媒体の所定のテスト記録位置に情報を試し書きする試し書き手順と、その試し書き手順によって試し書きされた情報に基づいて上記記録媒体に情報を記録するときの最適記録パワーを決定する最適記録パワー決定手順と、予め装置毎に調整された補正パラメータを格納する補正パラメータ格納手順と、その補正パラメータ格納手順に格納された補正パラメータに基づいて上記試し書き手順による試し書き実行時に順次変化させる記録パワーの所定範囲を補正する記録パワー所定範囲補正手順と、上記試し書き手順によって試し書きを実行する毎に上記補正パラメータ格納手順によって格納された補正パラメータを更新する補正パラメータ更新手順を実行させるためのプログラム。
【００２０】
【発明の実施の形態】
以下、この発明の実施形態を図面に基づいて具体的に説明する。
図１は、この発明の一実施形態である光ディスク記録装置の機能構成を示すブロック図である。
光ディスク記録装置は、レーザ光源であるＬＤの制御回路において少なくとも記録パワー，再生パワーの２段階のパワー出力が可能であり、設定された目標値を維持するように記録パルスを制御するＣＤ−Ｒ／ＲＷドライブ，ＤＶＤ−Ｒ／ＲＷドライブ，ＤＶＤ＋Ｒ／ＲＷドライブ，ＤＶＤ−ＲＡＭドライブ，ＤＶＤ＋ＲＡＭドライブ等の情報記録装置であり、回転モータ１，ディスク回転制御部２，光ヘッド３，ＬＤドライバ部（ＬＤドライバ）４，サーボ制御部５，データ生成部６，パルス設定部７，パワー設定部８，β値検出部９，コントローラ１０，パラメータ記憶部１１，外部インターフェース（Ｉ／Ｆ）１２からなる。
【００２１】
回転モータ（スピンドルモータ）１は、ＣＤ−Ｒディスク，ＣＤ−ＲＷディスク，ＤＶＤ−Ｒディスク，ＤＶＤ−ＲＷディスク，ＤＶＤ＋Ｒディスク，ＤＶＤ＋ＲＷディスク，ＤＶＤ−ＲＡＭディスク，ＤＶＤ＋ＲＡＭディスク等の情報の記録可能な光ディスク（光ディスク媒体，記録媒体）２０を回転する。
ディスク回転制御部２は、サーボ制御部５からの制御信号に基づいて回転モータ１を所定の速度で回転し、光ディスク２０の線速度を可変する制御を行う。
【００２２】
光ヘッド（光ピックアップ）３は、データ記録時，データ試し書き時，データ再生時に、図示を省略した光源である公知のレーザダイオード等の半導体レーザ光源（ＬＤ）によって光ビーム（レーザ光）を発光し、サーボ制御部５によるフォーカシングサーボ，トラッキングサーボによってその光ビームを光ディスク２０面上を移動させる。ＬＤドライバ４からの制御によってデータ記録時，データ試し書き時は所定の記録パワー，記録パルス幅によってレーザ光の光ビームＬを光ディスク２０の記録膜上に集光させてデータの記録マークを形成して記録する。また、データ再生時は所定の再生パワー等によって光ビームＬを光ディスク２０のデータが記録された部分に集光させてその反射光を同じく図示を省略した受光素子（ＰＤ）によって受信し、その再生信号（ＲＦ）を出力してデータを再生する。
【００２３】
このように、ＬＤドライバ４によって光ビームを記録パワー状態とスペースパワー状態の間で変調することにより、光ディスク２０の記録膜上には記録マークとそうでないところができる。それを再生すると反射率の差が生じて情報信号として再生することができる。記録マークは、例えば、ＣＤ−Ｒディスクのような非可逆な有機色素媒体ではピット（穴）であり、そうでないところはスペースと呼ばれる。
【００２４】
図２は、ＣＤ−Ｒディスクの記録面のフォーマットを示す説明図である。
光ディスク２０が、例えば、ＣＤ−Ｒディスクの場合、内周側から順に、パワー・キャリブレーション・エリア（Ｐｏｗｅｒ　Ｃａｌｉｂｒａｔｉｏｎ　Ａｒｅａ：ＰＣＡ領域）２０ａ，プログラム・メモリ・エリア２０ｂ，リード・イン・エリア２０ｃ，プログラム・エリア２０ｄ，リード・アウト・エリア２０ｅからなり、情報の試し書きを行う光ディスク２０上の所定のテスト記録位置（試し書き領域）としては、一般にはユーザエリアよりも内周のＰＣＡ領域が用いられる。また、最近では外周部にも試し書き領域を割り当てることもある。
【００２５】
ＬＤドライバ４は、パルス設定部７からの入力パルス信号（ＷＤ）に基づいて所定の記録パワー状態の記録パワーで、なおかつパワー設定部８からの記録パワー信号に基づいて入力パルス信号（ＷＤ）で変調される所定の記録パルス幅で光ヘッド３のＬＤに光ビームを発光させる制御を行う。
サーボ制御部５は、コントローラ１０からのアクセス制御指令（ａｃｃｅｓｓ）に基づいて光ヘッド３を光ディスク２０の半径方向に移動させる制御を司り、光ディスク２０に予め設けられた試し書き領域やユーザデータ領域にデータ記録・再生時の光ビームＬが照射されるようにアクセスを制御する。また、コントローラ１０からの回転スピード制御指令（Ｓｐｅｅｄ）に基づいて回転モータ１を所定の速度で回転させる制御を行う。
【００２６】
データ生成部６は、光ディスク２０に記録するデータに所定のフォーマットで符号化や変調処理を施し、シリアル形式で記録データ列信号（ＷＤＡＴＡ）としてパルス設定部７へ出力する。
パルス設定部７は、コントローラ１０からの指示に基づいてデータ生成部６からの記録データ列信号（ＷＤＡＴＡ）を記録パルス幅を示す入力パルス信号（ＷＤ）に変換してＬＤドライバ４へＬＤの記録パルス幅を制御する信号として出力する。
【００２７】
その変換処理は、例えば記録パルス幅を変える処理である。例えば、入力パルス信号（ＷＤ）の記録パルス幅の立ち上がりエッジを記録データ列信号（ＷＤＡＴＡ）の立ち上がりエッジよりも前側に立ち上がりエッジシフト量ｔｈｅｔａだけずらせて記録パルス幅を長くする。その立ち上がりエッジシフト量ｔｈｅｔａは、記録データ列信号（ＷＤＡＴＡ）の全ての立ち上がりエッジに対して同じ量にしてもよいが、記録データ列信号（ＷＤＡＴＡ）の記録マーク長（Ｈｉｇｈ幅）に応じて異なる量を設定してもよい。例えば、記録マーク長が短いほど長めの立ち上がりエッジシフト量ｔｈｅｔａを設定すれば、短い記録マーク長の記録マークの記録感度を補正することができる。この時のパルス幅設定を立ち上がりエッジシフト量ｔｈｅｔａを用いて（ｎ＋ｔｈｅｔａ）Ｔと表現する。
【００２８】
パワー設定部８は、コントローラ１０から入力される記録パワー制御指令（ｐｏｗｅｒ）に基づいてＬＤドライバ４にＬＤの発光レベルを指示する記録パワー信号を出力する。また、コントローラ１０からデータの試し書きのＯＰＣモード指令（ＯＰＣｍｏｄｅ）が入力されると、記録パワー制御指令とは関係なくデータ試し書きモードになり、ＬＤドライバ４にＬＤの発光レベルを指示する記録パワーを順次可変する記録パワー信号を出力する。
【００２９】
なお、上記記録パワー及び記録パルス幅は固定値を設定してもよいが、光ディスク２０の記録速度である線速度に応じてそれぞれの値を設定するようにすれば、線速度による記録マーク長毎の感度の違いを吸収できるからなおよい。
また、光ディスク２０に対するＺＣＬＶ記録やＣＡＶ記録のように、ディスク面内で記録速度（記録時の線速度：記録線速度）を変える場合、記録中に随時線速度によって記録パワーや記録パルス幅の設定を変えるのが好ましい。
【００３０】
例えば、記録パルス幅の設定の場合、コントローラ１０によって線速度やディスク種別に応じてそれぞれに設定すれば、線速度やディスク種別による記録マーク長毎の感度の違いを吸収できる。
そのディスク種別は、コントローラ１０の図示を省略したメディアタイプ検出手段によって光ヘッド３で光ディスク２０の特定場所を再生したときの再生信号から検出する。そのディスク種別は、例えばディスクメーカを何らかの方法で特定できればメーカ別にしてもよいし、同一メーカでもさらに細かく分類できればなおよい。他のディスク種別同定手法としては、例えば光ディスク２０に予め埋め込んである各種パラメータを用いることもできる。例えば、推奨記録パワーや記録パルス幅などを埋め込んである場合はそれを用いてもよい。
【００３１】
あるいは、ディスクメーカ毎に特定のメーカ識別コード（ベンダーコード）を埋め込んでおくこともある。さらに細分類のためのコードを埋め込んでもよい。
例えば、ＣＤ−Ｒディスクの場合、主にリードイン（Ｌｅａｄ　ＩＮ）領域と呼ばれるトラック情報を記録する領域の開始アドレスをディスクメーカ毎に割り当てることによって識別している。そのようにすることで、同一メーカのさまざまな記録膜に応じて、最適な記録パルス幅設定（ライトストラテジ：Ｗｒｉｔｅ
Ｓｔｒａｔｅｇｙ）が可能になる。
【００３２】
β値検出部９は、ＯＰＣ（情報の試し書きによって最適記録パワーを決定する処理）において、光ディスク２０に対してある線速度で記録パワーを順次変化させて情報を試し書き記録し、その試し書きした記録部の情報の再生信号のβ値を検出する。まず、光ヘッド３から再生信号（ＲＦ）入力するとその信号の低域成分を除去（ＡＣ結合）して、その上側包絡線レベルａと下側包絡線レベルｂを検出する。
【００３３】
図３は、再生信号（ＲＦ）から低域成分を除去して上側包絡線レベルａと下側包絡線レベルｂを求める処理の説明に供する波形図である。
光ディスク２０の記録膜の特性として、記録マーク部でのレーザ光の反射率が下がると仮定すると、再生信号（ＲＦ）は低反射部で低レベルになる。そうすると、適正な記録条件のときにＡＣ結合された再生信号（ＲＦ）の場合、同図の（１）に示すように、上側包絡線レベルａと下側包絡線レベルｂが基準レベルを挟んで上下対称になり、ａ＝ｂになる。
【００３４】
また、適正な記録条件のときよりも記録パワーが過大な場合は記録マーク部が長くなるから、同図の（２）に示すように、ＡＣ結合された再生信号（ＲＦ）の下側包絡線レベルｂよりも上側包絡線レベルａが高くなり（高レベルになり）、ａ＞ｂになる。
さらに、適正な記録条件のときよりも記録パワーが不足する場合は記録マーク長が短くなるから、同図の（３）に示すように、ＡＣ結合された再生信号（ＲＦ）の上側包絡線レベルａよりも下側包絡線レベルｂが高くなり下側レベルが高くなり（高レベルになり）、ａ＜ｂになる。
【００３５】
その上側包絡線レベルａと下側包絡線レベルｂの差（ａ−ｂ）を再生信号（ＲＦ）振幅値（ＲＦ振幅値）（ａ＋ｂ）で正規化した量がアシンメトリ値（β値）である。
すなわち、β＝（ａ−ｂ）／（ａ＋ｂ）を求める。
このβ値は、β値が大きいと最適記録パワーよりも記録パワーが過大であり、小さいと最適記録パワーよりも記録パワーが不足であることを表す。
【００３６】
コントローラ１０は、ＣＰＵ，ＲＯＭ及びＲＡＭ等からなるマイクロコンピュータによって実現され、この光ディスク装置の全体の制御を司り、この発明に係る各種の処理も実行する。また、上記β値を評価することによってβターゲットになるときの記録パワーを求め、その記録パワーを最適記録パワーに決定する処理も行う。
最適記録パワーはβ値がある値（例えば４％程度）になったときであり、そのときのβ値をβターゲット（βｔａｒｇｅｔ）と呼ぶ。
【００３７】
図４は、記録パワーとβ値との関係を示す線図である。
同図の（ａ）に示すように、所定範囲であるＯＰＣレンジ（記録パワーを振る範囲）内で記録パワーを１０段階に変えて情報を記録する。ＯＰＣレンジは、基準となる中心記録パワーＰｄｅｆに対して、例えば＋４０％，−３０％の範囲で１０段階で振る、あるいは中心記録パワーＰｄｅｆに対して、例えば＋５ｍＷ，−４ｍＷの範囲で１ｍＷずつ振る等の方法がある。
【００３８】
同図の（ａ）に示した１０段階の記録パワーで試し書きした情報の再生信号から得られた１０点のβ値から曲線（２次）近似し、同図の（ｂ）に示すβカーブを（β曲線）を求め、そのβカーブからβターゲットとなる記録パワーＰｏｐｃを求める。その記録パワーＰｏｐｃはＯＰＣを実行する時点の温度変化等の条件によって多少変動することもあるため、通常条件では記録パワーＰｏｐｃはなるべく中心記録パワーＰｄｅｆ付近で求まる方が望ましい。また、記録パワーＰｏｐｃは光ディスク毎に異なることが多いため、それぞれの光ディスクの種類に対応したライトストラテジと共に設定することも多い。
【００３９】
しかし、何らかのばらつき要因により、ＯＰＣによって決定されるべき最適記録パワーがＯＰＣレンジを外れてしまった場合、最適記録パワーが求められずエラーとなってしまう。また、仮にＯＰＣパワーが求まったとしても中心記録パワーＰｄｅｆから大きくずれた個所で決定した場合、真の値との誤差が大きい場合がある。
このＯＰＣばらつきは、上述の温度変化や光ディスク媒体の記録感度特性のばらつきといった要因もあるが、光ディスク記録装置に起因したばらつきが多い。
【００４０】
その光ディスク記録装置側のばらつき要因としては、光ディスク記録装置の設定する記録パワーとその記録パワーで実際に出射される光ビーム（レーザ光）の記録パワーとの差異，レーザダイオード（光源）の微妙な発振周波数のばらつき，光ビームのフォーカスサーボのバランスのずれ，光源を搭載した光ピックアップの光ビームの出射レンズ面と光ディスク媒体のディスク面とのずれ（このずれを「チルト」と称する），光ビームの記録パルス波形のばらつき，光ディスク媒体の記録感度特性のばらつき，周辺温度の影響等のいろいろな要因が考えられるが、主要因としては情報記録装置側のばらつきによる影響が大きいことが多い。
【００４１】
パラメータ記憶部１１は、例えば不揮発性メモリを使用し、光ディスク装置毎に調整された諸パラメータを格納するメモリであり、予め装置毎に調整された補正パラメータであるＯＰＣレンジ補正パラメータｄＰｄｅｆを保存する。
このパラメータ記憶部１１は、フラッシュＲＯＭやＥＥＰＲＯＭ等の不揮発性メモリだけでなく、ＰＣＢ上にジャンパスイッチを設けることでも補正範囲を荒く設定することで代用できる。このＯＰＣレンジ補正パラメータに基づいて、コントローラ１０はＯＰＣ実行時、ＯＰＣレンジをＯＰＣレンジ補正パラメータｄＰｄｅｆ分だけシフトさせる。すなわち中心記録パワーＰｄｅｆを（Ｐｄｅｆ＋ｄＰｄｅｆ）としてＯＰＣレンジを補正してＯＰＣを実行する。
【００４２】
次に、この光ディスク記録装置におけるこの発明に係るＯＰＣレンジ補正機能（試し書き実行時に順次変化させる記録パワーの所定範囲を補正する記録パワー所定範囲補正機能）について説明する。
【００４３】
（１）この光ディスク記録装置におけるこの発明に係る第１のＯＰＣレンジ補正機能
この第１のＯＰＣレンジ補正機能を実現するため、光ディスク記録装置のコントローラ１０のメモリ（図示を省略）に、光源から出射された光ビームを記録媒体に集光して情報を記録する記録手順と、上記光ビームの記録パワーを所定範囲内で順次変化させて上記記録媒体の所定のテスト記録位置に情報を試し書きする試し書き手順と、その試し書き手順によって試し書きされた情報に基づいて上記記録媒体に情報を記録するときの最適記録パワーを決定する最適記録パワー決定手順と、予め装置毎に調整された補正パラメータを格納する補正パラメータ格納手順と、その補正パラメータ格納手順によって格納された補正パラメータに基づいて上記試し書き手順による試し書き実行時に順次変化させる記録パワーの所定範囲を補正する記録パワー所定範囲補正手順とを実行させるためのプログラムをインストール（ＣＰＵが実行可能に格納）する。
【００４４】
そして、コントローラ１０がそのプログラムを実行することにより、光源から出射された光ビームを記録媒体に集光して情報を記録して、上記光ビームの記録パワーを所定範囲内で順次変化させて上記記録媒体の所定のテスト記録位置に情報を試し書きし、その試し書きされた情報に基づいて上記記録媒体に情報を記録するときの最適記録パワーを決定し、予め装置毎に調整された補正パラメータを格納し、その格納された補正パラメータに基づいて上記試し書きの実行時に順次変化させる記録パワーの所定範囲を補正する処理を行う。
【００４５】
すなわち、上記コントローラ１０等が、光源から出射された光ビームを記録媒体に集光して情報を記録する手段と、上記光ビームの記録パワーを所定範囲内で順次変化させて上記記録媒体の所定のテスト記録位置に情報を試し書きする試し書き手段と、その試し書き手段によって試し書きされた情報に基づいて上記記録媒体に情報を記録するときの最適記録パワーを決定する最適記録パワー決定手段と、予め装置毎に調整された補正パラメータを格納する補正パラメータ格納手段と、その補正パラメータ格納手段に格納された補正パラメータに基づいて上記試し書き手段による試し書き実行時に順次変化させる記録パワーの所定範囲を補正する記録パワー所定範囲補正手段の機能を果たす。
【００４６】
この第１のＯＰＣレンジ補正機能の処理は、コントローラ１０が、ＯＰＣ時、パラメータ記憶部１１に格納された予め装置毎に調整されたＯＰＣレンジ補正パラメータを読み出し、そのＯＰＣレンジ補正パラメータに基づいて試し書きの実行時に順次変化させる記録パワーのＯＰＣレンジ（所定範囲）を補正し、そのＯＰＣレンジ（所定範囲）内で光ビームの記録パワーを順次変化させて光ディスク２０のＰＣＡ領域（所定のテスト記録位置）にデータ（情報）を試し書きし、その試し書きされたデータを再生した再生信号に基づいて光ディスク２０にデータを記録するときの最適記録パワーを決定する。
【００４７】
このようにして、予め光ディスク記録装置毎にＯＰＣパワーばらつきを求めてその補正パラメータを保存しておき、その保存したパラメータからＯＰＣレンジを装置毎にずらすことによって光ディスク記録装置毎にＯＰＣレンジを調整可能にしたので、常に適正なＯＰＣレンジでＯＰＣを正常に実行し、常にデータ記録時の最適記録パワーを求めることができ、光ディスクに対する安定したデータ記録品質を確保することができる。また、装置毎の性能等のばらつきを抑えられるので製造上の歩留まり向上にも貢献することができる。
【００４８】
（２）この光ディスク記録装置におけるこの発明に係る第２のＯＰＣレンジ補正機能
この第２のＯＰＣレンジ補正機能は、上記第１のＯＰＣレンジ補正機能において、上記予め装置毎に調整された補正パラメータを、予め装置の製造工程において最適な記録パワーが管理された記録媒体に対して上記試し書き手段による試し書きを実行した結果から求めた補正パラメータにしたものである。
【００４９】
そのために、上記プログラムにこの第２のＯＰＣレンジ補正機能に係る手順として、予め装置の製造工程において最適な記録パワーが管理された記録媒体に対して上記試し書き手段による試し書きを実行した結果から求めた補正パラメータ上記予め装置毎に調整された補正パラメータにする手順を追加し、上記コントローラ１０等がその手順を実行することにより、第２のＯＰＣレンジ補正機能を実現する。
【００５０】
この第２のＯＰＣレンジ補正機能では、パラメータ記憶部１１に、予め光ディスク記録装置の製造工程において最適記録パワーが管理された光ディスクに対して試し書きを実行した結果から求めた装置毎に調整されたＯＰＣレンジ補正パラメータを格納し、コントローラ１０が、そのＯＰＣレンジ補正パラメータに基づいて上記第１のＯＰＣレンジ補正処理を行う。
例えば、光ディスク記録装置の製造工程において最適記録パワーのわかっている光ディスクを管理しておき、その光ディスクに対してＯＰＣを実行した結果に基づいてＯＰＣレンジ補正パラメータを求め、その光ディスク記録装置のパラメータ記憶部１１に記憶させる。
【００５１】
このようにして、光ディスク記録装置の製造工程において適正な記録パワーの管理された光ディスクを用いて、光ディスク記録装置毎に調整されたＯＰＣレンジ補正パラメータを求めてその光ディスク記録装置に記憶させることにより、出荷後の各光ディスク記録装置はそれぞれ適正なＯＰＣレンジでＯＰＣを正常に実行することができるようになる。
【００５２】
（３）この光ディスク記録装置におけるこの発明に係る第３のＯＰＣレンジ補正機能
この第３のＯＰＣレンジ補正機能は、上記第１のＯＰＣレンジ補正機能において、上記予め装置毎に調整された補正パラメータを、調整用に記録パワーが管理された標準の情報記録装置によって記録パワーが管理された記録媒体に対して試し書きを実行した結果から求めた最適記録パワーと上記試し書き手段による試し書きを実行した結果から求めた最適記録パワーとの両方の値、又は上記各最適記録パワーの差から得られる値であるようにしたものである。
【００５３】
そのために、上記プログラムにこの第３のＯＰＣレンジ補正機能に係る手順として、調整用に記録パワーが管理された標準の情報記録装置によって記録パワーが管理された記録媒体に対して試し書きを実行した結果から求めた最適記録パワーと上記試し書き手順による試し書きを実行した結果から求めた最適記録パワーとの両方の値、又は上記各最適記録パワーの差から得られる値を上記予め装置毎に調整された補正パラメータとする手順を追加し、上記コントローラ１０等がその手順を実行することにより、第３のＯＰＣレンジ補正機能を実現する。
【００５４】
上述のようにＯＰＣレンジ補正パラメータの取得を光ディスク記録装置の製造工程で行うとなると、調整用に記録パワーの管理された光ディスクを定常的に用意しつづけることは大きな負担になる。
そこで、基準となる標準光ディスク記録装置（標準機）を用意し、予めその標準機で調整用光ディスクに対してＯＰＣを実行し、標準機でのＯＰＣで決定された最適記録パワーと調整される個々の光ディスク記録装置でのＯＰＣで決定された最適記録パワー（またはその両最適記録パワーの差）をＯＰＣレンジ補正パラメータとして保存すれば、個々の調整用光ディスクを厳密に管理しなくても、標準機での記録品質を管理しておくことで安定してＯＰＣレンジ補正パラメータを求めることができる。
【００５５】
この第３のＯＰＣレンジ補正機能では、パラメータ記憶部１１に、ＯＰＣレンジ補正パラメータの調整用に記録パワーが管理された標準の光ディスク記録装置（標準機）によって記録パワーが管理された光ディスクに対して試し書きを実行した結果から求めた最適記録パワーと、自装置で光ディスクに試し書きを実行した結果から求めた最適記録パワーとの両方の値、又は上記各最適記録パワーの差から得られる値を予め光ディスク記録装置毎に調整されたＯＰＣレンジ補正パラメータとして記憶する。
このとき標準機でＯＰＣをした結果の記録パワーを光ディスクの特定個所に記録し、光ディスク記録装置調整時に標準機の記録パワーが記録された個所を読み取れるようにするとなお良い。
【００５６】
このようにして、調整用のディスク特性として記録パワーの管理された光ディスクを定常的に用意しつづけることは困難であるので、基準となる標準の光ディスク記録装置（標準機）を用意し、まずその標準機で調整用光ディスクに対してＯＰＣを実行して最適記録パワーを求め、自装置で光ディスクにＯＰＣを実行し最適記録パワーを求め、その両最適記録パワー（またはその両最適記録パワーの差）をＯＰＣレンジ補正パラメータとして保存することにより、調整用ディスクを厳密に管理しなくても安定してＯＰＣ補正パラメータを求めることができる。
【００５７】
（４）この光ディスク記録装置におけるこの発明に係る第４のＯＰＣレンジ補正機能
この第４のＯＰＣレンジ補正機能は、上記第２のＯＰＣレンジ補正機能において、上記試し書き手段による試し書きを記録媒体の任意の位置で実行する手段を設け、その実行によって装置の製造工程において記録媒体の定められた試し書き領域以外の領域も用いて試し書きを実行した結果から補正パラメータを求めるようにしたものである。
【００５８】
そのために、上記プログラムにこの第４のＯＰＣレンジ補正機能に係る手順として、上記試し書き手順による試し書きを記録媒体の任意の位置で実行する手順と、その手順による実行によって装置の製造工程において記録媒体の定められた試し書き領域以外の領域も用いて試し書きを実行した結果から補正パラメータを求める手順とを追加し、上記コントローラ１０等がその手順を実行することにより、第４のＯＰＣレンジ補正機能を実現する。
すなわち、上記コントローラ１０等が、上記試し書き手段による試し書きを記録媒体の任意の位置で実行する手段と、その手段によって装置の製造工程において記録媒体の定められた試し書き領域以外の領域も用いて試し書きを実行した結果から補正パラメータを求める手段の機能を果たす。
【００５９】
例えば、ＣＤ−Ｒディスクの場合、ＰＣＡ領域で実行できるＯＰＣの実行回数は９９回という制限がある。しかし、ＯＰＣレンジ補正パラメータの調整用としては一枚の光ディスクでなるべく多くＯＰＣを実行できた方が製造工程上効率がよい。
そこで、光ディスクの任意の位置でＯＰＣ動作を実行してＯＰＣレンジ補正パラメータを求めるようにすれば、ＯＰＣの実行回数の制限を受けずにＯＰＣレンジ補正パラメータを得ることができる。
【００６０】
この第４のＯＰＣレンジ補正処理では、上述のＯＰＣレンジ補正処理において、コントローラ１０が、光ディスク２０の任意の位置で試し書きを実行し、その実行によって光ディスク記録装置の製造工程において光ディスクの定められた試し書き領域（ＰＣＡ領域）以外の領域も用いて試し書きを実行した結果からＯＰＣレンジ補正パラメータを求める。
【００６１】
そのとき、光ディスク２０の面内のどの位置まで調整用のＯＰＣを実行したかを判別する必要がある。そのための手段としては、ＰＣＡ領域のカウントエリアと同様の情報をその光ディスク２０内に記録し、調整時は随時続けてその後にＯＰＣを行うように光ディスク記録装置自身に機能を持たせる方法がある。
また、図５のフローチャート図に示すように、ＡＴＡＰＩやその他の外部Ｉ／Ｆ１２を用いて調整装置のホストコンピュータ（ＨＯＳＴ）と接続し、そのホストコンピュータ側でＯＰＣ実行回数の管理，ＯＰＣ実行アドレスの指示，標準機でのＯＰＣ結果取得，ＯＰＣレンジ補正パラメータの設定等を行うようにするとよい。
【００６２】
その処理は、光ディスク記録装置のコントローラ１０は、ステップ（図中「Ｓ」で示す）１の基準ディスクマウント処理で基準となる光ディスクをマウントすると、外部Ｉ／Ｆを介してホストコンピュータへマウント完了通知を送る。
ホストコンピュータは、光ディスク記録装置からマウント完了通知を受け取ると、ステップ１１でマウント完了を認識し、ステップ１２で光ディスク記録装置に光ディスクのアドレスを指定してＯＰＣの実行を指示するＯＰＣ指示を送る。光ディスク記録装置のコントローラ１０は、ステップ２で外部Ｉ／Ｆを介してホストコンピュータからＯＰＣ指示を受け取ると、光ディスクの指定したアドレスに対してＯＰＣによる試し書きを実行し、ステップ３でＯＰＣによる結果を取得し、その結果を示すＯＰＣ結果通知を外部Ｉ／Ｆを介してホストコンピュータへ送る。
【００６３】
ホストコンピュータは、光ディスク記録装置からＯＰＣ結果通知を受け取ると、ステップ１３でＯＰＣ結果に基づいてＯＰＣレンジ補正パラメータを決定し、光ディスク記録装置にそのＯＰＣレンジ補正パラメータを送る。
光ディスク記録装置のコントローラ１０は、ステップ４で外部Ｉ／Ｆを介してホストコンピュータからＯＰＣレンジ補正パラメータを受け取ると、それをパラメータ記憶部に記憶して保存し、この処理を終了する。
【００６４】
このようにして、光ディスクの任意の位置でＯＰＣ動作を実行してＯＰＣレンジ補正パラメータを求められるので、例えば、ＣＤ−ＲディスクのようにＰＣＡで実行できるＯＰＣ実行回数に制限のある光ディスクでも、なるべく多くのＯＰＣを実行してＯＰＣレンジ補正パラメータの調整が行えるので、光ディスク記録装置を効率良く製造することができる。
【００６５】
（５）この光ディスク記録装置におけるこの発明に係る第５のＯＰＣレンジ補正機能
この第５のＯＰＣレンジ補正機能は、上記第１のＯＰＣレンジ補正機能において、上記試し書き手段を複数種類の記録線速度においてそれぞれ上記光ビームの記録パワーを所定範囲内で順次変化させて上記記録媒体の所定のテスト記録位置に情報を試し書きするようにし、上記補正パラメータ格納手段に予め装置毎に調整された補正パラメータを試し書きを実行する複数種類の記録線速度毎に格納するようにし、上記記録パワー所定範囲補正手段を上記補正パラメータ格納手段に格納された補正パラメータに基づいて上記試し書き手段による試し書き実行時に複数種類の記録線速度毎に順次変化させる記録パワーの所定範囲を補正するようにしたものである。
【００６６】
そのために、上記プログラムにこの第５のＯＰＣレンジ補正機能に係る手順として、上記試し書き手順を複数種類の記録線速度においてそれぞれ上記光ビームの記録パワーを所定範囲内で順次変化させて上記記録媒体の所定のテスト記録位置に情報を試し書きするようにし、上記補正パラメータ格納手順によって予め装置毎に調整された補正パラメータを試し書きを実行する複数種類の記録線速度毎に格納するようにし、上記記録パワー所定範囲補正手順を上記補正パラメータ格納手順によって格納された補正パラメータに基づいて上記試し書き手順による試し書き実行時に複数種類の記録線速度毎に順次変化させる記録パワーの所定範囲を補正する手順を追加し、上記コントローラ１０等がその手順を実行することにより、第５のＯＰＣレンジ補正機能を実現する。
【００６７】
例えば、光ディスク記録装置では、基準の線速度に対して、２倍速，４倍速，と言ったように複数の記録線速度の記録モードをもつ場合が多い。
この第５のＯＰＣレンジ補正処理では、コントローラ１０は、複数種類の記録線速度においてそれぞれ光ビームの記録パワーをＯＰＣレンジ（所定範囲）内で順次変化させて光ディスクの所定のテスト記録位置にデータ（情報）を試し書きするようにし、その試し書きによって得られた複数種類の記録線速度毎のＯＰＣレンジ補正パラメータをパラメータ記憶部１１に記憶して格納するようにし、ＯＰＣ時、パラメータ記憶部１１に格納された記録線速度毎のＯＰＣレンジ補正パラメータに基づいて各記録線速度毎に順次変化させる記録パワーのＯＰＣレンジ（所定範囲）を補正する。このように、記録線速度を複数もつ場合は、ＯＰＣ実行速度毎に補正パラメータを持つとよい。しかし、製造時の調整タクトを減らすため、ある速度で求めたＯＰＣレンジ補正パラメータにある比率を掛け、その速度でのＯＰＣレンジ補正パラメータとする方法もある。
このようにして、記録速度毎に記録パワーのＯＰＣレンジは異なるため、記録速度毎のＯＰＣレンジ補正パラメータをもつことにより、どの記録速度でも安定してＯＰＣが実行できる。
【００６８】
（６）この光ディスク記録装置におけるこの発明に係る第６のＯＰＣレンジ補正機能
この第６のＯＰＣレンジ補正機能は、上記第１のＯＰＣレンジ補正機能において、上記試し書き手段を複数種類の記録媒体に対してそれぞれ上記光ビームの記録パワーを所定範囲内で順次変化させて上記記録媒体の所定のテスト記録位置に情報を試し書きするようにし、上記補正パラメータ格納手段に予め装置毎に調整された補正パラメータを試し書きを実行する複数種類の記録媒体毎に格納するようにし、上記記録パワー所定範囲補正手段を上記補正パラメータ格納手段に格納された補正パラメータに基づいて上記試し書き手段による試し書き実行時に複数種類の記録媒体毎に順次変化させる記録パワーの所定範囲を補正するようにしたものである。
【００６９】
そのために、上記プログラムにこの第６のＯＰＣレンジ補正機能に係る手順として、上記試し書き手順を複数種類の記録媒体に対してそれぞれ上記光ビームの記録パワーを所定範囲内で順次変化させて上記記録媒体の所定のテスト記録位置に情報を試し書きするようにし、上記補正パラメータ格納手順によって予め装置毎に調整された補正パラメータを試し書きを実行する複数種類の記録媒体毎に格納するようにし、上記記録パワー所定範囲補正手順を上記補正パラメータ格納手順によって格納された補正パラメータに基づいて上記試し書き手順による試し書き実行時に複数種類の記録媒体毎に順次変化させる記録パワーの所定範囲を補正する手順を追加し、上記コントローラ１０等がその手順を実行することにより、第６のＯＰＣレンジ補正機能を実現する。
【００７０】
例えば、ＣＤ−Ｒディスクの場合、その構成物質によってシアニン系，フタロシアニン系，アゾ系と大別されるが、それらの種別によってＯＰＣばらつき傾向が異なる場合もある。また、一般にＣＤ−ＲディスクでＯＰＣ時の記録パワーが大きい光ディスク記録装置では、ＣＤ−ＲＷディスクでもＯＰＣ時の記録パワーは大きくなるが、ばらつきの傾向は必ずしも一致しない。また、ＣＤ−Ｒディスクでもその構成物質によってシアニン系，フタロシアニン系，アゾ系に大別されるがその種類によっても同様である。そこで、光ディスクの種類毎のＯＰＣレンジ補正パラメータをそれぞれ持つようにするとよい。
【００７１】
この第６のＯＰＣレンジ補正処理は、パラメータ記憶部１１に予め装置毎に調整されたＯＰＣレンジ補正パラメータを試し書きを実行する複数種類の光ディスク毎に格納するようにし、コントローラ１０が、パラメータ記憶部１１に格納されたＯＰＣレンジ補正パラメータに基づいて試し書き実行時に複数種類の光ディスク毎に順次変化させる記録パワーのＯＰＣレンジ（所定範囲）を補正し、複数種類の光ディスクに対してそれぞれ光ビームの記録パワーをＯＰＣレンジ（所定範囲）内で順次変化させて光ディスクの所定のテスト記録位置にデータ（情報）を試し書きする。
【００７２】
図６は、光ディスクの種類毎に格納されたＯＰＣレンジ補正パラメータを用いたＯＰＣ処理を示すフローチャート図である。
この処理は、コントローラ１０が、ステップ２１でＯＰＣ対象の光ディスクのディスクＩＤを取得し、ステップ２２でそのディスクＩＤに基づいて光ディスクの種類を判別し、その種類に対応するＯＰＣパラメータ（ＯＰＣレンジ補正パラメータ）をパラメータ記憶部から読み出して設定し、そのＯＰＣパラメータに基づいてＯＰＣレンジを補正し、その補正したＯＰＣレンジを設定して、ステップ２３でＯＰＣを実行する。
このようにして、光ディスクの種類毎にＯＰＣレンジ補正パラメータをもつことでより安定してＯＰＣを実行することができる。
【００７３】
（７）この光ディスク記録装置におけるこの発明に係る第７のＯＰＣレンジ補正機能
この第７のＯＰＣレンジ補正機能は、上記第１のＯＰＣレンジ補正機能において、上記記録パワーの所定範囲の補正を、上記補正パラメータ格納手段に格納された補正パラメータの値分だけ上記所定範囲の中心記録パワーをシフトさせる補正にしたものである。
そのために、上記プログラムにこの第７のＯＰＣレンジ補正機能に係る手順として、上記補正パラメータ格納手順によって格納された補正パラメータの値分だけ上記所定範囲の中心記録パワーをシフトさせて上記記録パワーの所定範囲の補正する手順を追加し、上記コントローラ１０等がその手順を実行することにより、第７のＯＰＣレンジ補正機能を実現する。
【００７４】
この第７のＯＰＣレンジ補正処理は、コントローラ１０が、上記ＯＰＣレンジ補正処理において、記録パワーのＯＰＣレンジ（所定範囲）の補正を、パラメータ記憶部１１に格納されたＯＰＣレンジ補正パラメータの値分だけＯＰＣレンジ（所定範囲）の中心記録パワーをシフトさせる補正をする。
すなわち、ＯＰＣ実行時には、ＯＰＣレンジ補正パラメータｄＰｄｅｆ分だけＯＰＣレンジをシフトさせ、中心記録パワーをＰｄｅｆ＋ｄＰｄｅｆにする。
このようにして、ＯＰＣレンジ補正パラメータに示された記録パワーだけＯＰＣの中心記録パワーをオフセットさせることによってＯＰＣレンジを補正することにより、安定してＯＰＣを実行することができる。
【００７５】
（８）この光ディスク記録装置におけるこの発明に係る第８のＯＰＣレンジ補正機能
この第８のＯＰＣレンジ補正機能は、上記第１のＯＰＣレンジ補正機能において、上記記録パワーの所定範囲の補正を、上記補正パラメータ格納手段に格納された補正パラメータに基づいて上記順次変化させる記録パワーの１ステップあたりの大きさを変えるようにしたものである。
そのために、上記プログラムにこの第８のＯＰＣレンジ補正機能に係る手順として、上記補正パラメータ格納手順によって格納された補正パラメータに基づいて上記順次変化させる記録パワーの１ステップあたりの大きさを変えて上記記録パワーの所定範囲の補正する手順を追加し、上記コントローラ１０等がその手順を実行することにより、第８のＯＰＣレンジ補正機能を実現する。
【００７６】
この第８のＯＰＣレンジ補正処理は、コントローラ１０が、上記ＯＰＣレンジ補正処理において、記録パワーのＯＰＣレンジ（所定範囲）の補正を、パラメータ記憶部１１に格納されたＯＰＣレンジ補正パラメータに基づいて上記順次変化させる記録パワーの１ステップあたりの大きさを変える補正をする。すなわち、中心記録パワーを変えずにＯＰＣの変化ステップパラメータに応じて変えることでＯＰＣレンジを広げる。
このようにして、ＯＰＣばらつきのある光ディスク記録装置の場合、ＯＰＣレンジ補正パラメータに示された値によってＯＰＣ実行時に順次変更していく記録パワーのステップ量を可変にするので、正常にＯＰＣを実行することができる。
【００７７】
（９）この光ディスク記録装置におけるこの発明に係る第９のＯＰＣレンジ補正機能
この第９のＯＰＣレンジ補正機能を実現するため、光ディスク記録装置のコントローラ１０のメモリ（図示を省略）に、光源から出射された光ビームを記録媒体に集光して情報を記録する記録手順と、上記光ビームの記録パワーを所定範囲内で順次変化させて上記記録媒体の所定のテスト記録位置に情報を試し書きする試し書き手順と、その試し書き手順によって試し書きされた情報に基づいて上記記録媒体に情報を記録するときの最適記録パワーを決定する最適記録パワー決定手順と、予め装置毎に調整された補正パラメータを格納する補正パラメータ格納手順と、その補正パラメータ格納手順によって格納された補正パラメータに基づいて上記試し書き手順による試し書き実行時に順次変化させる記録パワーの所定範囲を補正する記録パワー所定範囲補正手順と、上記試し書き手順によって試し書きを実行する毎に上記補正パラメータ格納手順によって格納された補正パラメータを更新する補正パラメータ更新手順とを実行させるためのプログラムをインストール（ＣＰＵが実行可能に格納）する。
【００７８】
そして、コントローラ１０がそのプログラムを実行することにより、光源から出射された光ビームを記録媒体に集光して情報を記録して、上記光ビームの記録パワーを所定範囲内で順次変化させて上記記録媒体の所定のテスト記録位置に情報を試し書きし、その試し書きされた情報に基づいて上記記録媒体に情報を記録するときの最適記録パワーを決定し、予め装置毎に調整された補正パラメータを格納し、その格納された補正パラメータに基づいて上記試し書きの実行時に順次変化させる記録パワーの所定範囲を補正し、上記試し書きを実行する毎に上記補正パラメータを更新する処理を行う。
【００７９】
すなわち、上記コントローラ１０等が、光源から出射された光ビームを記録媒体に集光して情報を記録する記録手段と、上記光ビームの記録パワーを所定範囲内で順次変化させて上記記録媒体の所定のテスト記録位置に情報を試し書きする試し書き手段と、その試し書き手段によって試し書きされた情報に基づいて上記記録媒体に情報を記録するときの最適記録パワーを決定する最適記録パワー決定手段と、予め装置毎に調整された補正パラメータを格納する補正パラメータ格納手段と、その補正パラメータ格納手段に格納された補正パラメータに基づいて上記試し書き手段による試し書き実行時に順次変化させる記録パワーの所定範囲を補正する記録パワー所定範囲補正手段と、上記試し書き手段によって試し書きを実行する毎に上記補正パラメータ格納手段に格納された補正パラメータを更新する補正パラメータ更新手段の機能を果たす。
【００８０】
光ディスク記録装置の出荷後にユーザが使用するときには、様々なユーザ環境や使用ディスク、更には装置やディスクの経時変化に対応するため、光ディスクに対してＯＰＣを実行する度にＯＰＣレンジ補正パラメータを更新するとよい。この第９のＯＰＣレンジ補正処理は、コントローラ１０が、上述のＯＰＣレンジ補正処理において、上記試し書きを実行する毎にパラメータ記憶部１１のＯＰＣレンジ補正パラメータを更新する。
【００８１】
例えば、まず初期値としては製造工程において記録パワーの管理された光ディスクを用いてＯＰＣを実行し、そのＯＰＣで得られたＯＰＣレンジ補正パラメータをパラメータ記憶部１１に保存する。そして、出荷後にその保存されたＯＰＣレンジ補正パラメータを用いてＯＰＣを行って最適記録パワーを求めてデータを記録すると共に、パラメータ記憶部１１のＯＰＣレンジ補正パラメータにそのＯＰＣで新たに得られたＯＰＣレンジ補正パラメータｄＰｄｅｆを上書きすることにより、ＯＰＣ実行毎にＯＰＣレンジ補正パラメータを更新する。
このようにして、製造工程において適正な記録パワーの管理された光ディスクを用いてＯＰＣ補正パラメータを調整することにより、出荷当初からそれぞれの光ディスク記録装置が適正なＯＰＣレンジでＯＰＣを正常に実行することができる。
【００８２】
図７は、ＯＰＣレンジ補正パラメータの更新処理を示すフローチャート図である。
この処理は、コントローラ１０が、ステップ３１で光ディスクを識別し、ステップ３２でパラメータ記憶部から読み出した補正パラメータ（ＯＰＣレンジ補正パラメータ）によってＯＰＣレンジを補正して設定し、ステップ３でＯＰＣを実行し、ステップ３４でパラメータ記憶部の補正パラメータを上記ＯＰＣによって得られた新たな補正パラメータ（ＯＰＣレンジ補正パラメータ）に更新し、ステップ３５のディスク記録処理で上記ＯＰＣで得られた最適記録パワーで光ディスクにデータを記録する。
【００８３】
このようにして、ユーザが光ディスク記録装置を用いて光ディスクに記録を行う度にＯＰＣレンジ補正パラメータを更新するので、装置出荷後にユーザが使用する様々な光ディスクや使用環境に応じた適正なＯＰＣレンジを確保でき、常に適正なＯＰＣレンジでＯＰＣを正常に実行することができる。その結果、適正な記録パワーを求めることができ、光ディスクに対する安定した記録品質を確保することができる。
【００８４】
（１０）この光ディスク記録装置におけるこの発明に係る第１０のＯＰＣレンジ補正機能
この第１０のＯＰＣレンジ補正機能は、上記第９のＯＰＣレンジ補正機能において、上記試し書き手段を複数種類の記録媒体に対してそれぞれ上記光ビームの記録パワーを所定範囲内で順次変化させて上記記録媒体の所定のテスト記録位置に情報を試し書きするようにし、上記補正パラメータ格納手段に予め装置毎に調整された補正パラメータを試し書きを実行する複数種類の記録媒体毎に格納するようにし、上記記録パワー所定範囲補正手段を上記補正パラメータ格納手段に格納された補正パラメータに基づいて上記試し書き手段による試し書き実行時に複数種類の記録媒体毎に順次変化させる記録パワーの所定範囲を補正するようにしたものである。
【００８５】
そのために、上記プログラムにこの第１０のＯＰＣレンジ補正機能に係る手順として、上記試し書き手順を複数種類の記録媒体に対してそれぞれ上記光ビームの記録パワーを所定範囲内で順次変化させて上記記録媒体の所定のテスト記録位置に情報を試し書きするようにし、上記補正パラメータ格納手順によって予め装置毎に調整された補正パラメータを試し書きを実行する複数種類の記録媒体毎に格納するようにし、上記記録パワー所定範囲補正手順を上記補正パラメータ格納手順によって格納された補正パラメータに基づいて上記試し書き手順による試し書き実行時に複数種類の記録媒体毎に順次変化させる記録パワーの所定範囲を補正する手順を追加し、上記コントローラ１０等がその手順を実行することにより、第１０のＯＰＣレンジ補正機能を実現する。
【００８６】
この第１０のＯＰＣレンジ補正処理では、コントローラ１０は、複数種類の記録線速度においてそれぞれ光ビームの記録パワーをＯＰＣレンジ（所定範囲）内で順次変化させて光ディスクの所定のテスト記録位置にデータ（情報）を試し書きするようにし、その試し書きによって得られた複数種類の記録線速度毎のＯＰＣレンジ補正パラメータをパラメータ記憶部１１に記憶して格納するようにし、ＯＰＣ時、パラメータ記憶部１１に格納された記録線速度毎のＯＰＣレンジ補正パラメータに基づいて各記録線速度毎に順次変化させる記録パワーのＯＰＣレンジ（所定範囲）を補正する。そして、ＯＰＣを実行する度にパラメータ記憶部１１に格納されたＯＰＣレンジ補正パラメータｄＰｄｅｆを新しい値に更新する。
【００８７】
例えば、光ディスク記録装置では、光ディスクの種類（ベンダーコード）毎に記録パルス幅の最適化（Ｗｒｉｔｅ　Ｓｔｒａｔｅｇｙ）を行う方がよく、光ディスク記録装置内に記録ストラテジ（Ｗｒｉｔｅ　Ｓｔｒａｔｅｇｙ）のパラメータテーブルを持つことが多い。
このパラメータテーブルの中にＯＰＣの中心記録パワーＰｄｅｆも光ディスクの種類Ｎ（Ｎは正の整数）毎に設定することがあるが、中心記録パワーＰｄｅｆ（Ｎ）に対して光ディスクの種類Ｎ毎にそれぞれＯＰＣレンジ補正パラメータｄＰｄｅｆ（Ｎ）を持っている。そこで、コントローラ１０は、それぞれの光ディスクに対してＯＰＣを実行する度にＯＰＣレンジ補正パラメータｄＰｄｅｆ（Ｎ）を更新していく。こうすることで常に適正なＯＰＣレンジを確保できる。
【００８８】
このようにして、光ディスクの種別により別々のＯＰＣレンジ補正パラメータをもち、それぞれをＯＰＣを実行する度に更新するので、光ディスクの種類毎に常に適正なＯＰＣレンジでＯＰＣを正常に実行することができる。
【００８９】
（１１）この光ディスク記録装置におけるこの発明に係る第１１のＯＰＣレンジ補正機能
この第１１のＯＰＣレンジ補正機能は、上記第９のＯＰＣレンジ補正機能において、上記補正パラメータ更新手段による補正パラメータの更新回数を保存する補正パラメータ更新回数保存手段を設け、上記補正パラメータ更新手段を上記補正パラメータ更新回数保存手段に保存された更新回数が所定回数に達するまでの補正パラメータの平均値を新規の補正パラメータとして上記補正パラメータ格納手段に格納された補正パラメータを更新する手段にしたものである。
【００９０】
そのために、上記プログラムにこの第１２のＯＰＣレンジ補正機能に係る手順として、上記補正パラメータ更新手順による補正パラメータの更新回数を保存する補正パラメータ更新回数保存手順と、上記補正パラメータ更新手順を上記補正パラメータ更新回数保存手順によって保存された更新回数が所定回数に達するまでの補正パラメータの平均値を新規の補正パラメータとして上記補正パラメータ格納手順によって格納された補正パラメータを更新する手順とを追加し、上記コントローラ１０等がその手順を実行することにより、第１２のＯＰＣレンジ補正機能を実現する。
【００９１】
すなわち、上記コントローラ１０等が、上記補正パラメータ更新手段による補正パラメータの更新回数を保存する補正パラメータ更新回数保存手段と、その補正パラメータ更新回数保存手段に保存された更新回数が所定回数に達するまでの補正パラメータの平均値を新規の補正パラメータとして上記補正パラメータ格納手段に格納された補正パラメータを更新する補正パラメータ更新手段の機能を果たす。
【００９２】
この第１１のＯＰＣレンジ補正処理では、コントローラ１０は、パラメータ記憶部１１のＯＰＣレンジ補正パラメータの更新回数を、例えばパラメータ記憶部１１に記憶して保存し、その補正パラメータ更新回数が所定回数に達するまでのＯＰＣレンジ補正パラメータの平均値を新規のＯＰＣレンジ補正パラメータとしてパラメータ記憶部１１に格納されたＯＰＣレンジ補正パラメータを更新する。このように、ＯＰＣレンジ補正パラメータの更新で平均値をとることにより、突発的に特性の異なる光ディスクに対してＯＰＣを実行したときにもＯＰＣレンジ補正パラメータの値を適正に保つことができる。
このようにして、ＯＰＣレンジ補正パラメータを更新する際にトータルの平均値をとることで突発的に特性の異なる光ディスクを記録した後でも適正なＯＰＣレンジ補正パラメータを保持することができ、常に適正なＯＰＣレンジでＯＰＣを正常に実行することができる。
【００９３】
【発明の効果】
以上説明してきたように、この発明の情報記録装置と情報記録方法によれば、常に正常なＯＰＣレンジでＯＰＣを実行して正しい最適記録パワーを決定し、その最適記録パワーによって記録媒体への記録品質を安定させることができる。
また、この発明のプログラムによれば、コンピュータにこの発明に係る機能を容易に実現させることができる。
【図面の簡単な説明】
【図１】この発明の一実施形態である光ディスク記録装置の機能構成を示すブロック図である。
【図２】ＣＤ−Ｒディスクの記録面のフォーマットを示す説明図である。
【図３】再生信号（ＲＦ）から低域成分を除去して上側包絡線レベルａと下側包絡線レベルｂを求める処理の説明に供する波形図である。
【図４】記録パワーとβ値との関係を示す線図である。
【図５】ホストコンピュータによる光ディスク記録装置のＯＰＣレンジ補正パラメータの設定処理を示すフローチャート図である。
【図６】光ディスクの種類毎に格納されたＯＰＣレンジ補正パラメータを用いたＯＰＣ処理を示すフローチャート図である。
【図７】ＯＰＣレンジ補正パラメータの更新処理を示すフローチャート図である。
【符号の説明】
１：回転モータ　　２：ディスク回転制御部
３：光ヘッド　　　４：ＬＤドライバ
５：サーボ制御部　６：データ生成部
７：パルス設定部　８：パワー設定部
９：β値検出部　　１０：コントローラ
１１：パラメータ記憶部
１２：外部インターフェース（Ｉ／Ｆ）
２０：光ディスク
２０ａ：パワー・キャリブレーション・エリア（ＰＣＡ領域）
２０ｂ：プログラム・メモリ・エリア
２０ｃ：リード・イン・エリア
２０ｄ：プログラム・エリア
２０ｅ：リード・アウト・エリア
【図１】
2004139658.tif 000003
【図２】
2004139658.tif 000004
【図３】
2004139658.tif 000005
【図４】
2004139658.tif 000006
【図５】
2004139658.tif 000007
【図６】
2004139658.tif 000008
【図７】
2004139658.tif 000009